(57)【要約】【課題】時間がかからず、衣服を汚さず、楽な姿勢で納骨できる骨壺収納補助具を提供すること。【解決手段】骨壺収納補助具は、支持管１１及び挿通される軸部１２を備える竿部１０と、この先端部に骨壺Ａの外周面を挟着把持する一対の腕２２、２３を備えた腕部２０と、軸部１２の突出先端に設けられ、腕２２，２３の後端を回動自在に連結する連結部材１６と、軸部１２を支持管１１から後方に突出付勢させ、かつ腕２２，２３の先端を互いに常時近接付勢させるコイルバネ３０とを有し、軸部１２を先端側にコイルバネ３０の付勢力に抗して押し出し腕２２，２３の先端を互いに離反させ、軸部１２の押し出しをやめ、腕２２，２３の先端で骨壺Ａの外周を挟着把持する。【選択図】図１
0003123850.tif 000002
【実用新案登録請求の範囲】
【請求項１】
支持管及び該支持管に先端、後端が突出して挿通される軸部を備える竿部と、
該竿部の先端部に延在して設けられた一対のブラケットにそれぞれ骨壺の外周面を挟着把持する同一平面内で回動自在に装着される一対の腕を備えた腕部と、
前記軸部の突出先端に設けられ、前記腕の後端をそれぞれ回動自在に連結する連結部材と、
前記軸部を前記支持管から後方に突出付勢させ、かつ前記腕の先端を互いに常時近接付勢させるコイルバネとを有し、
前記軸部を先端側に前記コイルバネの付勢力に抗して押し出し前記腕の先端を互いに離反させ、前記軸部の押し出しをやめ、前記腕の先端で前記骨壺の外周を挟着把持することを可能にしたことを特徴とする骨壺収納補助具。
【請求項２】
請求項１において、
前記腕の先端には、それぞれ前記骨壺の外周を挟着把持するチャックが、前記同一平面と直交する面内で回動するように設けられていることを特徴とする骨壺収納補助具。
【請求項３】
請求項１または２において、
前記腕は、略L字状を呈していることを特徴とする骨壺収納補助具。
【請求項４】
請求項１ないし３のいずれか１項において、
前記竿部は、前記腕が回動する前記同一平面に対し、角度を持って取り付けられていることを特徴とする骨壺収納補助具。
【考案の詳細な説明】
【技術分野】
【０００１】
この考案は、お墓の納骨棺、いわゆるカロートに骨壺を納骨する際に使用する骨壺収納補助具に関するものである。
【背景技術】
【０００２】
従来、お墓のカロートに納骨するときは、墓石前の香炉が置かれている拝石を取り除き、両手で骨壺を持ち、開口からカロート内に納めていた。骨壺は、その人のすべてのお骨を入れることが多くなり、必然的に大きくなっている。カロートもまた大きくせざるを得ず、奥行き、深さも大きくなり、さらには、棚板を設けた２段構えのものもできてきている。
【考案の開示】
【考案が解決しようとする課題】
【０００３】
しかしながら、納骨に際して、この種の骨壺収納補助具は用いられてなく、両手で骨壺を抱えた不自由な姿勢で外から跪き手を伸ばして納めていた。より深いものにあっては、足を入れ、さらに、難しいときには狭い入り口から体を入れて納めていた。
【０００４】
したがって、腰を痛めたり、衣服を汚したりと大変であったり、時間がかかっていた。
【０００５】
そこで、時間がかからず、衣服を汚さず、楽な姿勢で納骨できる骨壺収納補助具を提供することを目的としている。
【課題を解決するための手段】
【０００６】
この目的を達成するため、この考案は、支持管及び該支持管に先端、後端が突出して挿通される軸部を備える竿部と、該竿部の先端部に延在して設けられた一対のブラケットにそれぞれ骨壺の外周面を挟着把持する同一平面内で回動自在に装着される一対の腕を備えた腕部と、前記軸部の突出先端に設けられ、前記腕の後端をそれぞれ回動自在に連結する連結部材と、前記軸部を前記支持管から後方に突出付勢させ、かつ前記腕の先端を互いに常時近接付勢させるコイルバネとを有し、前記軸部を先端側に前記コイルバネの付勢力に抗して押し出し前記腕の先端を互いに離反させ、前記軸部の押し出しをやめ、前記腕の先端で前記骨壺の外周を挟着把持することを可能にしたことを特徴とする骨壺収納補助具としている。
【考案の効果】
【０００７】
この考案の構成によれば、竿部の先腕部に骨壺を挟着把持して、カロートに納めることができるので、時間がかからず、衣服を汚さず、楽な姿勢で納骨できる。
【考案を実施するための最良の形態】
【０００８】
以下、この考案の実施の形態を示す図面に基づいて考案を説明する。
【実施例１】
【０００９】
図１〜図３は、この考案の骨壺収納補助具の一実施例を示すものである。
【００１０】
図１は骨壺収納補助具の平面図であり、図２は同正面図であり、図３は骨壺収納補助具の使用状態を示す概略説明図である。
【００１１】
図中、骨壺収納補助具は、大きく竿部１０と腕部２０とから構成され、竿部１０の先端の腕部２０を両者の間に設けられたコイルバネ３０と協働して開閉して骨壺Aを挟着把持するものである。
【００１２】
竿部１０は、中空管状の支持管１１及びこの支持管１１に先端、後端が突出して挿通されている軸部１２を備えている。支持管１１は、後端寄りに、特に材質を限定するものではないが、発泡樹脂のような断熱性、グリップ性に優れた材質のものが巻かれあるいは差し込まれて装着されて支持グリップ１１ａが形成され、先端にカラー１１ｂが装着固定され、さらにカラー１１ｂに一対のブラケット１１ｃ、１１ｄが平面図において前方斜めに対称的に延在して固定されている。
【００１３】
軸部１２は、中実で、先端側に段部１２ｂが形成され、それより先はコイルバネ３０を装着可能に細い軸１２ａとなっており、さらに先端がねじ切りされ、後端が図示しない段差の先が細径にされ、そこがねじ切りされている。また、軸部１２は、その突出先端に連結部材１６が固定して、あるいは後述するように２枚の連結部材１６で軸を挟むように設けられている。後者の場合は、軸部１２の先端のワッシャ１３を装着する位置に図示しない段差が設けられ、連結部材１６がワッシャ１３と他のワッシャ１３を介したナット１５との間に装着されている。
【００１４】
腕部２０は、腕２２，２３を備えており、それぞれは平面視略L字型を呈しており、その中間位置で竿部１０の先端部、ここではカラー１１bの両側に延在して設けられた一対のブラケット１１ｃ、１１ｄに、それぞれ骨壺Aの外周面を挟着把持するように同一平面内で回動自在にピンｐによって装着されている。一対のブラケット１１ｃ、１１ｄは、図２に示すように腕２２，２３の厚みだけ上下に離間してカラー１１bに固定されている。
【００１５】
腕２２，２３は、その後端が連結部材１６の両端にそれぞれ回動自在に連結されており、その先端にそれぞれ骨壺Aの外周を挟着把持するチャック２４，２５が、前記同一平面と直交する面内で回動するようにピンｐで設けられている（図２参照）。このチャック２４，２５の内側、骨壺Aを挟着把持する側には、滑りを防ぎ、弾性的挟着をさせるためスポンジあるいはゴム等が弾性把持部材２４ａ，２５ａが貼り付けられている。
【００１６】
竿部１０は、腕部２０の腕２２，２３が回動する前記同一平面に対し、腕２２，２３の中間部を図２に示すように折り曲げることによって角度を持って取り付けられている。
【００１７】
コイルバネ３０は、支持管１１の先端側の内側で軸部２に、段差１２bに当接するまで差し込み、ナット１４でカラー１１bに螺装され、ある程度圧縮された状態にされる。
この状態で、軸部１２は支持管１１から後方に突出付勢させられ、その突出部に段差付きのねじが切られ、ワッシャ１８が装着され、ナット１７及び操作グリップ１９が螺着されている。
【００１８】
コイルバネ３０によって、軸部１２が後方に付勢され、連結部材１６がワッシャ１３に当接し、腕２２，２３及びチャック２４，２５が互いに常時近接付勢させられる図２に実線で示す位置になっている。この常時は、不使用時、収納時であり、Bで示す円の大きさ以上の骨壺Aを挟着把持することが出来る。すなわち、この骨壺収納補助具は、軸部１２を先端側にコイルバネ３０の付勢力に抗して押し出し腕部２０の腕２２，２３の先端を互いに離反させ、軸部１２の押し出しをやめ、腕２２，２３の先端で骨壺Aの外周を挟着把持することを可能にしている。
【００１９】
以上、ピンｐによる回動装着は、ボルトナットによる接合であっても良い。
【００２０】
次に、このような骨壺収納補助具の取り扱い方法を説明する。
【００２１】
図３は、お墓の一例で和型墓石５０の事例である。地面Gに堀込まれてコンクリート打ちされたカロート４０が形成されている。そのカロート４０の上方開口の一部が覆われるように組石で出来る下台５１、大きな石の中台５２、上台５３が積み上げられ、最後に竿石５４が載せられている。カロート４０の残りの開口は、拝石５７で蓋をされており、花立水鉢５５，香炉５６がだいたいカロート４０の上に配置されている。
【００２２】
納骨する際、香炉５６を脇に寄せて、拝石５７を移動してカロート４０の上方開口を開ける。骨壺収納補助具を持ち出し、図２の実線の状態から、例えば、左手で支持グリップ１１ａを握り、右手で操作グリップ１９を握って操作グリップ１９を実線位置から２点鎖線位置にコイルバネ３０の付勢力に抗して押し出すと腕２２，２３は実線の位置から２点鎖線の位置へ開かせる。
【００２３】
この状態で腕２２，２３のチャック２４，２５を骨壺Ａの外周に会わせ、操作グリップ１９の押し出し力を解除すると、チャック２４，２５はコイルバネ３０の復帰力により、軸部１２が後方に付勢され、腕２２，２３の先端が近接方向に付勢されて骨壺Ａの外周面を挟着把持する。チャック２４，２５の内面側の弾性把持部材２４ａ，２５ａのより、骨壺Ａを傷つけたり、壊したり、滑り落としたりすることなく安定して挟着把持することを可能にしている。このとき、チャック２４，２５は垂直面内で回動可能であるため、竿１０の持つ角度の変化にも関係なく、骨壺Ａは重力に逆らわず安定した姿勢で持ち上げられる。
【００２４】
カロート４０の開口にこの吊り下げた骨壺Ａを入れて適当な位置に置いた後は、再度、操作グリップ１９を押し込んで腕２２，２３を開かせて骨壺Ａを離す。カロート４０から骨壺収納補助具を引き出した後に拝石５７、花立水鉢５５，香炉５６を元の位置に戻して納骨を終了する。
【図面の簡単な説明】
【００２５】
【図１】骨壺収納補助具の平面図である。
【図２】図１の骨壺収納補助具の正面図であ
【図３】骨壺収納補助具の使用状態を示す概略説明図である。
【符号の説明】
【００２６】
１０・・・竿部
１１・・・支持管
１２・・・軸部
２０・・・腕部
２２，２３・・・腕
２４，２５・・・チャック
３０・・・コイルバネ
４０・・・カロート
【図１】
0003123850.tif 000003
【図２】
0003123850.tif 000004
【図３】
0003123850.tif 000005